(57)【要約】【課題】視覚的に違和感を感じる輝度変化が生じない最適な駆動信号を生成できる、表示パネルを駆動する駆動装置、駆動方法、及び集積回路を提供する。【解決手段】駆動装置１は、検出電力予測値がどの区分に該当するかを特定し、特定した区分の重み付け値を出力する、電力予測値重み付け値出力手段４と、検出ピーク値がどの区分に該当するかを特定し、特定した区分の重み付け値を出力する、ピーク値重み付け値出力手段６と、同１第１フレームの検出電力予測値と、同１第１フレームの直前の第２フレームの検出電力予測値の差に準じた値が第１閾値未満であって、かつ、第１フレームの検出ピーク値と、第２フレームの修正検出ピーク値の差に準じた値が第２閾値以上である場合、第１フレームの検出ピーク値区分の重み付け値を修正する修正出力手段７と、を備える。【選択図】図１
2010049088.tif 000002
【特許請求の範囲】
【請求項１】
およそ１フレーム分の映像データを受け、当該フレームについての消費電力を予測し、電力予測値を出力する電力予測値検出手段と、
検出可能な電力予測値の全範囲をＭａ個の電力予測値区分に分割し、大きい方が重くなるように、各電力予測値区分に重み付けを設定し、上記検出電力予測値がいずれの電力予測値区分に該当するかを特定し、特定した電力予測値区分の重み付け値を出力する、電力予測値重み付け値出力手段と、
フレームの映像信号のピーク値を検出し、検出ピーク値を出力する検出ピーク値出力手段と、
検出可能なピーク値の全範囲をＭｐ個のピーク値区分に分割し、暗い方が重くなるように、各ピーク値区分に重み付けを設定し、上記検出ピーク値がいずれのピーク値区分に該当するかを特定し、特定したピーク値区分の重み付け値を出力する、ピーク値重み付け値出力手段と、
電力予測値およびピーク値を１フレーム期間保持し、直前の電力予測値およびピーク値を出力するレジスタを有し、同１第１フレームの検出電力予測値と、同１第１フレームの直前の第２フレームの検出電力予測値の差に準じた値である第１の差が第１閾値未満であって、かつ、第１フレームの検出ピーク値と、第２フレームの検出ピーク値の差に準じた値である第２の差が第２閾値以上である場合、第１フレームの検出ピーク値区分の重み付け値が、第２フレームの検出ピーク値区分の重み付け値から所定値以内になるように、第１フレームの検出ピーク値区分の重み付け値を修正し、修正検出ピーク値区分の重み付け値を出力する修正出力手段と、
上記電力予測値区分の重み付け値と、修正検出ピーク値区分の重み付け値とを加算し、加算した重み付け値を出力する加算重み付け値出力手段と、を備えたことを特徴とする表示パネルを駆動する駆動装置。
【請求項２】
上記所定値以内とは、ある区分における重み付けと、その次の区分における重み付けとの差以内であることを特徴とする請求項１に記載の駆動装置。
【請求項３】
上記修正出力手段は、上記の場合、第１フレームの検出ピーク値区分の重み付け値が、第２フレームの検出ピーク値区分と隣接する区分の重み付け値になるように、第１フレームの検出ピーク値区分の重み付け値を修正したことを特徴とする請求項１または２に記載の駆動装置。
【請求項４】
上記第１の差の代わりに、第１フレームの検出電力予測値区分の重み付け値と、第２フレームの検出電力予測値区分の重み付け値の差を用い、
上記第２の差の代わりに、第１フレームの検出ピーク値区分の重み付け値と、第２フレームの検出ピーク値区分の重み付け値の差を用いることを特徴とする請求項１乃至３のいずれか１つに記載の駆動装置。
【請求項５】
上記修正出力手段は、所定フレーム数間隔で、処理することを特徴とする請求項１乃至４のいずれか１つに記載の駆動装置。
【請求項６】
およそ１フレーム分の映像データを受け、当該フレームについての消費電力を予測し、電力予測値を出力する電力予測値検出ステップと、
検出可能な電力予測値の全範囲をＭａ個の電力予測値区分に分割し、大きい方が重くなるように、各電力予測値区分に重み付けを設定し、上記検出電力予測値がいずれの電力予測値区分に該当するかを特定し、特定した電力予測値区分の重み付け値を出力する、電力予測値重み付け値出力ステップと、
フレームの映像信号のピーク値を検出し、検出ピーク値を出力する検出ピーク値出力ステップと、
検出可能なピーク値の全範囲をＭｐ個のピーク値区分に分割し、暗い方が重くなるように、各ピーク値区分に重み付けを設定し、上記検出ピーク値がいずれのピーク値区分に該当するかを特定し、特定したピーク値区分の重み付け値を出力する、ピーク値重み付け値出力ステップと、
電力予測値を１フレーム期間保持し、直前の電力予測値を出力し、ピーク値を１フレーム期間保持し、直前のピーク値を出力し、同１第１フレームの検出電力予測値と、同１第１フレームの直前の第２フレームの検出電力予測値の差に準じた値である第１の差が第１閾値未満であって、かつ、第１フレームの検出ピーク値と、第２フレームの検出ピーク値の差に準じた値である第２の差が第２閾値以上である場合、第１フレームの検出ピーク値区分の重み付け値が、第２フレームの検出ピーク値区分の重み付け値から所定値以内になるように、第１フレームの検出ピーク値区分の重み付け値を修正し、修正検出ピーク値区分の重み付け値を出力する修正出力ステップと、
上記電力予測値区分の重み付け値と、修正検出ピーク値区分の重み付け値とを加算し、加算した重み付け値を出力する加算重み付け値出力ステップと、を含むことを特徴とする表示パネルを駆動する駆動方法。
【請求項７】
上記所定値以内とは、ある区分における重み付けと、その次の区分における重み付けとの差以内であることを特徴とする請求項６に記載の駆動方法。
【請求項８】
上記修正出力ステップは、上記の場合、第１フレームの検出ピーク値区分の重み付け値が、第２フレームの検出ピーク値区分と隣接する区分の重み付け値になるように、第１フレームの検出ピーク値区分の重み付け値を修正したことを特徴とする請求項６または７に記載の駆動方法。
【請求項９】
上記第１の差の代わりに、第１フレームの検出電力予測値区分の重み付け値と、第２フレームの検出電力予測値区分の重み付け値の差を用い、
上記第２の差の代わりに、第１フレームの検出ピーク値区分の重み付け値と、第２フレームの検出ピーク値区分の重み付け値の差を用いることを特徴とする請求項６乃至８のいずれか１つに記載の駆動方法。
【請求項１０】
上記修正出力ステップは、所定フレーム数間隔で、実行されることを特徴とする請求項６乃至９のいずれか１つに記載の駆動方法。
【請求項１１】
請求項１に記載の駆動装置を集積化したことを特徴とする集積回路。
【発明の詳細な説明】
【技術分野】
【０００１】
本発明は、プラズマディスプレイパネル（ＰＤＰ）等の表示パネルを駆動する駆動装置、駆動方法、及び集積回路に関し、特に、電力予測値により駆動倍数を調整可能な表示パネルを駆動する駆動装置、駆動方法、及び集積回路に関する。
【背景技術】
【０００２】
プラズマディスプレイパネル等の表示パネルを備えた表示装置は、省スペースという優れた特徴から近年広く普及している。この表示装置は、図９（ａ）に示すようにＲＧＢ信号から検出した電力予測値Ｌａに基づいて駆動倍数を決定する。例えば、ＲＧＢ信号から検出した電力予測値Ｌａが低く且つピーク値Ｌｐも低い場合（図９（ａ）の点Ｘの場合）、駆動倍数５倍で駆動される。プラズマディスプレイパネルの構造上、黒を表示する画素でも放電が起きるため、光が漏れ、黒がやや白っぽく表示される「黒浮き」という現象が起こる。そのため、駆動倍数を５倍にすると、発光輝度も５倍になり、この黒浮きがより強調されてしまう。また、表示デバイスの階調表示能力に合わせて映像信号のビット数を減じながら擬似階調表示し、映像を再現する誤差拡散によってザワザワ感も増幅されてしまう。
【０００３】
そこで、特許文献１に記載の表示装置は、図９（ｂ）に示すようにＲＧＢ信号の電力予測値Ｌａ及びピーク値Ｌｐに基づいて駆動倍数を決定する。例えば、ＲＧＢ信号の電力予測値が低く且つピーク値も低い場合（図９（ｂ）の点Ｘの場合）、駆動倍数１倍で駆動される。これにより、特許文献１に記載の表示装置は、上記の場合でもしっとりと落ち着いた暗いシーンを再現することができる。
【０００４】
【特許文献１】特開平１１−２３１８２５号公報
【発明の開示】
【発明が解決しようとする課題】
【０００５】
しかしながら、特許文献１に記載の表示装置においては、例えば、暗いシーン（夜空、暗闇等）に急にピーク値の高い物体（星等）が出た場合、すなわち、ＲＧＢ信号から検出した電力予測値Ｌａが低く且つピーク値Ｌｐも低い状態からピーク値Ｌｐのみ急に高くなった場合、図９（ｂ）の点Ｘから点Ｙへ移動するので、駆動倍数は１倍から５倍に変化する。これにより、表示画面全体の発光輝度が急激に５倍になり、変化していない暗い背景も輝度が上がり、視覚的に違和感を感じる輝度変化が発生する。以後、この輝度変化をパカつきと表現する。
【０００６】
本発明は、前記課題を解決するもので、ピーク値が急激に変化することにより、駆動倍数が大きく変化してしまう場合であっても、表示画面全体にパカつきが発生しない最適な駆動信号を生成できる、表示パネルを駆動する駆動装置、駆動方法、及び集積回路を提供することを目的とする。
【課題を解決するための手段】
【０００７】
本発明に係る駆動装置は、およそ１フレーム分の映像データを受け、当該フレームについての消費電力を予測し、電力予測値を出力する電力予測値検出手段と、検出可能な電力予測値の全範囲をＭａ個の電力予測値区分に分割し、大きい方が重くなるように、各電力予測値区分に重み付けを設定し、検出電力予測値がいずれの電力予測値区分に該当するかを特定し、特定した電力予測値区分の重み付け値を出力する、電力予測値重み付け値出力手段と、フレームの映像信号のピーク値を検出し、検出ピーク値を出力する検出ピーク値出力手段と、検出可能なピーク値の全範囲をＭｐ個のピーク値区分に分割し、暗い方が重くなるように、各ピーク値区分に重み付けを設定し、検出ピーク値がいずれのピーク値区分に該当するかを特定し、特定したピーク値区分の重み付け値を出力する、ピーク値重み付け値出力手段と、電力予測値およびピーク値を１フレーム期間保持し、直前の電力予測値およびピーク値を出力するレジスタを有し、同１第１フレームの検出電力予測値と、同１第１フレームの直前の第２フレームの検出電力予測値の差に準じた値である第１の差が第１閾値未満であって、かつ、第１フレームの検出ピーク値と、第２フレームの検出ピーク値の差に準じた値である第２の差が第２閾値以上である場合、第１フレームの検出ピーク値区分の重み付け値が、第２フレームの検出ピーク値区分の重み付け値から所定値以内になるように、第１フレームの検出ピーク値区分の重み付け値を修正し、修正検出ピーク値区分の重み付け値を出力する修正出力手段と、電力予測値区分の重み付け値と、修正検出ピーク値区分の重み付け値とを加算し、加算した重み付け値を出力する加算重み付け値出力手段と、を備えたことを特徴とする。
【０００８】
所定値以内とは、ある区分における重み付けと、その次の区分における重み付けとの差以内であってもよい。
【０００９】
修正出力手段は、上記の場合、第１フレームの検出ピーク値区分の重み付け値が、第２フレームの検出ピーク値区分と隣接する区分の重み付け値になるように、第１フレームの検出ピーク値区分の重み付け値を修正してもよい。
【００１０】
第１の差の代わりに、第１フレームの検出電力予測値区分の重み付け値と、第２フレームの検出電力予測値区分の重み付け値の差を用い、第２の差の代わりに、第１フレームの検出ピーク値区分の重み付け値と、第２フレームの検出ピーク値区分の重み付け値の差を用いてもよい。
【００１１】
修正出力手段は、所定フレーム数間隔で、処理してもよい。
【００１２】
本発明に係る駆動方法は、およそ１フレーム分の映像データを受け、当該フレームについての消費電力を予測し、電力予測値を出力する電力予測値検出ステップと、検出可能な電力予測値の全範囲をＭａ個の電力予測値区分に分割し、大きい方が重くなるように、各電力予測値区分に重み付けを設定し、上記検出電力予測値がいずれの電力予測値区分に該当するかを特定し、特定した電力予測値区分の重み付け値を出力する、電力予測値重み付け値出力ステップと、フレームの映像信号のピーク値を検出し、検出ピーク値を出力する検出ピーク値出力ステップと、検出可能なピーク値の全範囲をＭｐ個のピーク値区分に分割し、暗い方が重くなるように、各ピーク値区分に重み付けを設定し、上記検出ピーク値がいずれのピーク値区分に該当するかを特定し、特定したピーク値区分の重み付け値を出力する、ピーク値重み付け値出力ステップと、電力予測値を１フレーム期間保持し、直前の電力予測値を出力し、ピーク値を１フレーム期間保持し、直前のピーク値を出力し、同１第１フレームの検出電力予測値と、同１第１フレームの直前の第２フレームの検出電力予測値の差に準じた値である第１の差が第１閾値未満であって、かつ、第１フレームの検出ピーク値と、第２フレームの検出ピーク値の差に準じた値である第２の差が第２閾値以上である場合、第１フレームの検出ピーク値区分の重み付け値が、第２フレームの検出ピーク値区分の重み付け値から所定値以内になるように、第１フレームの検出ピーク値区分の重み付け値を修正し、修正検出ピーク値区分の重み付け値を出力する修正出力ステップと、上記電力予測値区分の重み付け値と、修正検出ピーク値区分の重み付け値とを加算し、加算した重み付け値を出力する加算重み付け値出力ステップと、を含むことを特徴とする。
【００１３】
所定値以内とは、ある区分における重み付けと、その次の区分における重み付けとの差以内であってもよい。
【００１４】
修正出力ステップは、上記の場合、第１フレームの検出ピーク値区分の重み付け値が、第２フレームの検出ピーク値区分と隣接する区分の重み付け値になるように、第１フレームの検出ピーク値区分の重み付け値を修正してもよい。
【００１５】
第１の差の代わりに、第１フレームの検出電力予測値区分の重み付け値と、第２フレームの検出電力予測値区分の重み付け値の差を用い、第２の差の代わりに、第１フレームの検出ピーク値区分の重み付け値と、第２フレームの検出ピーク値区分の重み付け値の差を用いてもよい。
【００１６】
修正出力ステップは、所定フレーム数間隔で、実行してもよい。
【００１７】
本発明に係る集積回路は、上記駆動装置を集積化したことを特徴とする。
【発明の効果】
【００１８】
本発明の表示パネルを駆動する駆動装置、駆動方法、及び集積回路は、全体的に暗い画面において、急にピーク値の高い画素が入ることにより、駆動倍数が大きく変化してしまう場合は、駆動倍数を段階的に変化させる。これにより、上記の場合であっても、表示画面全体にパカつきを発生させない最適な駆動信号を生成できる。
【発明を実施するための最良の形態】
【００１９】
以下に、本発明の実施形態について、図面を参照しながら説明する。
【００２０】
実施形態１
本実施形態では、駆動倍数が急激に変化してパカつきが発生する場合、段階的に駆動倍数を変化させる駆動装置について説明する。
【００２１】
［駆動装置の構成］
図１は、本発明の実施形態１によるプラズマディスプレイパネルを駆動する駆動装置の構成を示すブロック図である。本実施形態の駆動装置１は、プラズマディスプレイパネル（ＰＤＰ）２を駆動する駆動装置である。駆動装置１は、電力予測値検出部３と、電力バンク値決定部４と、ピーク値検出部５と、ピークバンク値決定部６と、ピークバンク値補正部７と、最終バンク値決定部８と、駆動倍数決定部９と、マルチ処理部１０とを備える。
【００２２】
本発明を具体的に説明する前に、本発明の基本的概念を説明する。例えば、駆動装置１には、毎秒６０フレームの画像のＲＧＢ信号が入力される。１画素の各ＲＧＢ信号が０〜２５５の信号レベルで表現され、１フレーム（１枚）の画像における電力予測値の合計値Ｖａが一番暗い場合は０×１フレームの画素数となり、一番明るい場合は２５５×１フレームの画素数となる。電力予測値Ｌａは、合計値Ｖａを１００分率で表したものである。例えば、合計値Ｖａが７６×1フレームの画素数の場合は電力予測値Ｌａは３０％（７６／２５５≒０．３０）となる。電力バンク（Ｂａｎｋ）Ｂａは、電力予測値Ｌａ０〜１００％を複数（Ｍａ個）の区分に分けたものであり、電力予測値区分である。電力バンク値ＢＶａは、電力バンクＢａそれぞれが有する値である。
【００２３】
図２（ａ）に、電力バンクＢａ及び電力バンク値ＢＶａの具体例を示す。横軸（ｘ軸）に電力予測値Ｌａ、縦軸（ｙ軸）にピーク値Ｌｐをとる。ピーク値Ｌｐは常に電力予測値Ｌａ以上なので、電力予測値及びピーク値が存在するエリアは、原点（電力予測値Ｌａが０％で且つピーク値Ｌｐが０％の点）と電力予測値Ｌａが１００％で且つピーク値Ｌｐが１００％の点とｙ軸上のピーク値Ｌｐが１００％の点を結んでできる三角形のエリア内である。電力予測値Ｌａ０〜１００％を５等分しており、５つの区分である電力バンクが存在する。
【００２４】
電力予測値Ｌａが０％以上２０％未満のとき、第１の区分である電力バンクＢａはＢａ１となり、電力バンクＢａ１の重み付け値である電力バンク値ＢＶａは０となる。電力予測値Ｌａが２０％以上４０％未満のとき、第２の区分である電力バンクＢａはＢａ２となり、電力バンクＢａ２の重み付け値である電力バンク値ＢＶａは２５となる。電力予測値Ｌａが４０％以上６０％未満のとき、第３の区分である電力バンクＢａはＢａ３となり、電力バンクＢａ３の重み付け値である電力バンク値ＢＶａは５０となる。電力予測値Ｌａが６０％以上８０％未満のとき、第４の区分である電力バンクＢａはＢａ４となり、電力バンクＢａ４の重み付け値である電力バンク値ＢＶａは７５となる。電力予測値Ｌａが８０％以上１００％以下のとき、第５の区分である電力バンクＢａはＢａ５となり、電力バンクＢａ５の重み付け値である電力バンク値ＢＶａは１００となる。図２（ｂ）は、図２（ａ）に電力バンク値ＢＶａのｚ軸を追加したものである。電力予測値Ｌａが高くなるほど、電力バンク値ＢＶａも大きくなる。
【００２５】
また、１フレーム（１枚）の画像において最も明るい信号レベルＶｐが一番暗い場合は０となり、一番明るい場合は２５５となる。ピーク値Ｌｐは、最も明るい信号レベルＶｐを１００分率で表したものである。例えば、最も明るい信号レベルＶｐが１１５の場合はピーク値Ｌｐは４５％（１１５／２５５≒０．４５）となる。ピークバンクＢｐは、ピーク値Ｌｐ０〜１００％を複数（Ｍｐ個）の区分に分けたものであり、ピーク値区分である。ピークバンク値ＢＶｐは、ピークバンクＢｐそれぞれが有する値である。
【００２６】
図３（ａ）に、ピークバンクＢｐ及びピークバンク値ＢＶｐの具体例を示す。横軸（ｘ軸）に電力予測値Ｌａ、縦軸（ｙ軸）にピーク値Ｌｐをとる。図２（ａ）と同様に、ピーク値Ｌｐは常に電力予測値Ｌａ以上なので、電力予測値及びピーク値が存在するエリアは、原点（電力予測値Ｌａが０％で且つピーク値Ｌｐが０％の点）と電力予測値Ｌａが１００％で且つピーク値Ｌｐが１００％の点とｙ軸上のピーク値Ｌｐが１００％の点を結んでできる三角形のエリア内である。ピーク値Ｌｐ０〜１００％を５等分しており、５つの区分であるピークバンクが存在する。
【００２７】
ピーク値Ｌｐが０％以上２０％未満のとき、第６の区分であるピークバンクＢｐはＢｐ１となり、ピークバンクＢｐ１の重み付け値であるピークバンク値ＢＶｐは１００となる。ピーク値Ｌｐが２０％以上４０％未満のとき、第７の区分であるピークバンクＢｐはＢｐ２となり、ピークバンクＢｐ２の重み付け値であるピークバンク値ＢＶｐは７５となる。ピーク値Ｌｐが４０％以上６０％未満のとき、第８の区分であるピークバンクＢｐはＢｐ３となり、ピークバンクＢｐ３の重み付け値であるピークバンク値ＢＶｐは５０となる。ピーク値Ｌｐが６０％以上８０％未満のとき、第９の区分であるピークバンクＢｐはＢｐ４となり、ピークバンクＢｐ４の重み付け値であるピークバンク値ＢＶｐは２５となる。ピーク値Ｌｐが８０％以上１００％以下のとき、第１０の区分であるピークバンクＢｐはＢｐ５となり、ピークバンクＢｐ５の重み付け値であるピークバンク値ＢＶｐは０となる。図３（ｂ）は、図３（ａ）にピークバンク値ＢＶｐのｚ軸を追加したものである。ピーク値Ｌｐが高くなるほど、ピークバンク値ＢＶｐは小さくなる。
【００２８】
図１に戻り、本発明に係る駆動装置１の具体的構成について説明する。図１において、ＲＧＢ信号が駆動装置１に入力される。電力予測値検出部３は、入力された１フレームのＲ信号Ｖｒ、Ｇ信号Ｖｇ、Ｂ信号Ｖｂの１フレーム分の合計値Ｖｒａ，Ｖｇａ，Ｖｂａを求め、さらに３つの合計値（Ｒ信号の合計値Ｖｒａ、Ｇ信号の合計値Ｖｇａ、Ｂ信号の合計値Ｖｂａ）であるＶａを求める。すなわち、電力予測値検出部３では、１フレームの電力予測値の合計値が求められる。さらに、電力予測値検出部３は、その電力予測値の合計値Ｖａから１００分率で表した電力予測値Ｌａを求め、求めた電力予測値Ｌａを電力バンク値決定部４に出力する。
【００２９】
次に、電力バンク値決定部４は、電力予測値Ｌａから電力予測値区分である電力バンクＢａを求め、その電力バンクＢａの重み付け値である電力バンク値ＢＶａを求める。例えば、上述した図２（ａ）及び（ｂ）のように、電力バンク値ＢＶａを求めてもよい。図２（ａ）及び（ｂ）を一般式で表すと、電力予測値Ｌａが１００（ｉ−１）／Ｍａ％以上１００ｉ／Ｍａ％未満のとき、電力バンクＢａはＢａｉとなり、電力バンクＢａｉの電力バンク値ＢＶａはＢＶａｉ＝１００（ｉ−１）／（Ｍａ−１）となる。ここでは、Ｍａは総電力バンク数であり（ここでは、Ｍａ＝５）、ｉは１からＭａまでの自然数である（ここでは、ｉ＝１，２，３，４，５）。また、電力予測値Ｌａが高くなるほど、段階的に電力バンク値ＢＶａも大きくなるようにしてもよい（ＢＶａｉ＞ＢＶａ（ｉ−１））。好ましくは、ＢＶａ１＝０であり、ＢＶａＭａ＝１００である。また、演算により電力バンク値ＢＶａを求めてもよいし、テーブルを用いて電力バンク値ＢＶａを求めてもよい。電力バンク値決定部４は、電力バンク値ＢＶａをピークバンク値補正部７及び最終バンク値決定部８に出力する。
【００３０】
ピーク値検出部５は、入力された１フレームのＲ信号Ｖｒ、Ｇ信号Ｖｇ、Ｂ信号Ｖｂの中で最も明るい信号レベルＶｐを求める。すなわち、ピーク値検出部５では、１フレーム内の最も明るい画素の値が検出される。さらに、ピーク値検出部５は、その最も明るい信号レベルＶｐから１００分率で表したピーク値Ｌｐを求め、求めたピーク値Ｌｐをピークバンク値決定部６に出力する。
【００３１】
次に、ピークバンク値決定部６は、ピーク値Ｌｐからピーク値区分であるピークバンクＢｐを求め、そのピークバンクＢｐの重み付け値であるピークバンク値ＢＶｐを求める。例えば、上述した図３（ａ）及び（ｂ）のように、ピークバンク値ＢＶｐを求めてもよい。図３（ａ）及び（ｂ）を一般式で表すと、ピーク値Ｌｐが１００（ｉ−１）／Ｍｐ％以上１００ｉ／Ｍｐ％未満のとき、ピークバンクＢｐはＢｐｉとなり、ピークバンクＢｐｉのピークバンク値ＢＶｐはＢＶｐｉ（＝１００（Ｍｐ−ｉ）／（Ｍｐ−１））となる。ここでは、Ｍｐは総ピークバンク数であり（ここでは、Ｍｐ＝５）、ｉは１からＭｐまでの自然数である（ここでは、ｉ＝１，２，３，４，５）。また、ピーク値Ｌｐが高くなるほど、段階的にピークバンク値ＢＶｐは小さくなるなるようにしてもよい（ＢＶｐｉ＜ＢＶｐ（ｉ−１））。好ましくは、ＢＶｐ１＝１００であり、ＢＶｐＭｐ＝０である。また、演算によりピークバンク値ＢＶｐを求めてもよいし、テーブルを用いてピークバンク値ＢＶｐを求めてもよい。ピークバンク値決定部６は、ピークバンク値ＢＶｐをピークバンク値補正部７に出力する。
【００３２】
ピークバンク値補正部７は、パカつきが発生する場合にピークバンク値ＢＶｐを補正する。具体的には、ピークバンク値補正部７は、電力バンク値およびピークバンク値を１フレーム期間保持し、直前の電力バンク値およびピークバンク値を出力するレジスタを有し、Ｎフレーム目の処理をするときに、（Ｎ−１）フレーム目の電力バンク値ＢＶａ（Ｎ−１）とＮフレーム目の電力バンク値ＢＶａ（Ｎ）の差分が第１の閾値未満で、且つ（Ｎ−１）フレーム目の補正ピークバンク値ＢＶｐａ（Ｎ−１）とＮフレーム目のピークバンク値ＢＶｐ（Ｎ）の差分が第２の閾値以上の場合に、パカつきが発生すると判断する。Ｎは自然数である。第１の閾値、第２の閾値については後述する。この場合は、Ｎフレーム目のピークバンク値ＢＶｐ（Ｎ）が、（Ｎ−１）フレーム目のピークバンク値ＢＶｐa（Ｎ−１）から所定値以内になるように、Ｎフレーム目のピークバンク値ＢＶｐa（Ｎ）を修正する。より具体的には、この場合、（Ｎ−１）フレーム目の補正ピークバンク値ＢＶｐａ（Ｎ−１）がＮフレーム目のピークバンク値ＢＶｐ（Ｎ）以上のときは、（Ｎ−１）フレーム目の補正ピークバンク値ＢＶｐａ（Ｎ−１）に所定値を減算し、（Ｎ−１）フレーム目の補正ピークバンク値ＢＶｐａ（Ｎ−１）がＮフレーム目のピークバンク値ＢＶｐ（Ｎ）未満のときは、（Ｎ−１）フレーム目の補正ピークバンク値ＢＶｐａ（Ｎ−１）に所定値を加算する。ここでの所定値とは、あるピークバンクにおけるピークバンク値と、そのピークバンクに隣接するピークバンクにおけるピークバンク値の差以内の予め決められた値である。このようにして、段階的にＮフレーム目のピークバンク値ＢＶｐ（Ｎ）に近づけていく。ピークバンク値補正部７は、補正したピークバンク値をＮフレーム目の補正ピークバンク値ＢＶｐａ（Ｎ）として最終バンク値決定部８に出力する。一方、パカつきが発生しない場合は、ピークバンク値補正部７は、ピークバンク値ＢＶｐを補正せずにそのまま補正ピークバンク値ＢＶｐａとして最終バンク値決定部８に出力する。
【００３３】
最終バンク値決定部８は、電力バンク値ＢＶａに補正ピークバンク値ＢＶｐａを加算し、最終バンク値を求める。図４に、最終バンク値の一例を示す。例えば、電力予測値Ｌａが３０％で電力バンク値ＢＶａが２５、ピーク値Ｌｐが４５％でピークバンク値ＢＶｐが５０の場合、最終バンク値は７５（＝２５＋５０）となる。また、最終バンク値決定部８は、求めた最終バンク値が１００以上の場合、１００とする。駆動倍数決定部９は、最終バンク値から駆動倍数を決定し、決定した駆動倍数をマルチ処理部１０に出力する。具体的には、駆動倍数決定部９は、図５に示すような最終バンク値−駆動倍数対応表を有し、この対応表に基づいて駆動倍数を決定する。
【００３４】
マルチ処理部１０は、入力されたＲＧＢ信号及び駆動倍数に基づきプラズマディスプレイパネル駆動信号を生成し、プラズマディスプレイパネル駆動信号をプラズマディスプレイパネル２に出力する。プラズマディスプレイパネル２はプラズマディスプレイパネル駆動信号に基づいて画像を表示する。
【００３５】
一般に、画像ストリームは複数のシーンの連結で構成される。図８（ａ）に、昼のシーンであるシーンＡから夜のシーンであるシーンＢに移ったときのＡＰＬから求まる電力予測値Ｌａの一例を示す。範囲αは同一シーン内の連続するフレーム間で変動しうる電力予測値の範囲を示し、範囲βはシーンが変わる際に変動しうる電力予測値の範囲を示す。第１の閾値は、範囲αよりも大きく、範囲βよりも小さい。また、図８（ｂ）に、夜の同一シーンにおけるピーク値Ｌｐの一例を示す。フレームＦ３で夜空に明るい星が１つ輝く。フレームＦ１とフレームＦ２のピーク値の差はγであり、フレームＦ２とフレームＦ３のピーク値の差はδである。差γはパカつきが発生しないフレーム間で変動しうるピーク値の範囲を示し、差δはパカつきが発生してしまうフレーム間で変動しうるピーク値の範囲を示す。第２の閾値は、差γよりも大きく、差δよりも小さい。
【００３６】
［駆動装置の動作］
図６は、本発明の実施形態１のプラズマディスプレイパネルを駆動する駆動装置による動作のフローチャートである。このフローチャートは、Ｎフレーム目の駆動倍数を決定する方法を示す。電力予測値検出部３はＮフレーム目の電力予測値Ｌａ（Ｎ）を検出し、ピーク値検出部５はＮフレーム目のピーク値Ｌｐ（Ｎ）を検出する（Ｓ１）。次に、電力バンク決定部４はＮフレーム目の電力バンク値ＢＶａ（Ｎ）を決定し、ピークバンク値決定部６はＮフレーム目のピークバンク値ＢＶｐ（Ｎ）を決定する（Ｓ２）。たとえば、ＲＯＭデータが用いられる。電力バンク決定部４は、入力された電力予測値に基づいて、ＲＯＭテーブルから適切な電力バンクを選出する。また、ピークバンク値決定部６は、入力されたピーク値に基づいて、ＲＯＭテーブルから適切なピークバンク値を選出する。
【００３７】
ピークバンク値補正部７は、（Ｎ−１）フレーム目の電力バンク値ＢＶａ（Ｎ−１）とＮフレーム目の電力バンク値ＢＶａ（Ｎ）の差分を求め（Ｓ３）、その電力バンク値差分が第１の閾値以上か否かを判断する（Ｓ４）。ここでは、第１の閾値は２５である。電力バンク値差分が第１の閾値以上の場合は（Ｓ４でＹｅｓ）、画像全体が変わっているので、駆動倍数が急激に変化しても違和感がないと判断し、すなわちパカつきが発生しないと判断し、ピークバンク値補正部７はピークバンク値ＢＶｐ（Ｎ）を補正しない。すなわち、ピークバンク値補正部７は、Ｎフレーム目のピークバンク値ＢＶｐ（Ｎ）をＮフレーム目の補正ピークバンク値ＢＶｐａ（Ｎ）に設定する（Ｓ５）。
【００３８】
一方、電力バンク値差分が第１の閾値未満の場合は（Ｓ４でＮｏ）、シーンが変わっていないと判断し、ピークバンク値補正部７はさらに、（Ｎ−１）フレーム目の補正ピークバンク値ＢＶｐａ（Ｎ−１）とＮフレーム目のピークバンク値ＢＶｐ（Ｎ）の差分を求め（Ｓ６）、そのピークバンク値差分が第２の閾値以上か否かを判断する（Ｓ７）。ここでは、第２の閾値は５０である。ピークバンク値差分が第２の閾値未満の場合は（Ｓ７でＮｏ）、駆動倍数が急激に変化しないのでパカつきが発生しないと判断し、ピークバンク値補正部７はピークバンク値ＢＶｐ（Ｎ）を補正しない。すなわち、ピークバンク値補正部７は、Ｎフレーム目のピークバンク値ＢＶｐ（Ｎ）をＮフレーム目の補正ピークバンク値ＢＶｐａ（Ｎ）に設定する（Ｓ５）。
【００３９】
一方、ピークバンク値差分が第２の閾値以上の場合は（Ｓ７でＹｅｓ）、駆動倍数が急激に変化してパカつきが発生すると判断する。この場合に、ピークバンク値補正部７はピークバンク値ＢＶｐ（Ｎ）を補正する。具体的には、ピークバンク値補正部７は、（Ｎ−１）フレーム目の補正ピークバンク値ＢＶｐａ（Ｎ−１）がＮフレーム目のピークバンク値ＢＶｐ（Ｎ）以上か否かを判断する（Ｓ８）。（Ｎ−１）フレーム目の補正ピークバンク値ＢＶｐａ（Ｎ−１）がＮフレーム目のピークバンク値ＢＶｐ（Ｎ）以上の場合は（Ｓ８でＹｅｓ）、（Ｎ−１）フレーム目の補正ピークバンク値ＢＶｐａ（Ｎ−１）に所定値を減算して、減算した値をＮフレーム目の補正ピークバンク値ＢＶｐａ（Ｎ）に設定する（Ｓ９）。ここでは、所定値は予め決められた固定値であり、例えば２５である。一方、（Ｎ−１）フレーム目の補正ピークバンク値ＢＶｐａ（Ｎ−１）がＮフレーム目のピークバンク値ＢＶｐ（Ｎ）未満の場合は（Ｓ８でＮｏ）、（Ｎ−１）フレーム目の補正ピークバンク値ＢＶｐａ（Ｎ−１）に所定値を加算して、加算した値をＮフレーム目の補正ピークバンク値ＢＶｐａ（Ｎ）に設定する（Ｓ１０）。例えば、図３（ａ）及び（ｂ）において、（Ｎ−１）フレーム目の補正ピークバンク値ＢＶｐａ（Ｎ−１）が０であって、Ｎフレーム目のピークバンク値ＢＶｐ（Ｎ）が１００である場合は、Ｎフレーム目の補正ピークバンク値ＢＶｐａ（Ｎ）は、（Ｎ−１）フレーム目の補正ピークバンクＢｐａ（Ｎ−１）（＝Ｂｐ５）と隣接するピークバンクＢｐ４のピークバンク値（＝２５）となる。
【００４０】
最終バンク値決定部８は、Ｎフレーム目の電力バンク値ＢＶａ（Ｎ）にＮフレーム目の補正ピークバンク値ＢＶｐａ（Ｎ）を加算して、Ｎフレーム目の最終バンク値を求める（Ｓ１１）。駆動倍数決定部９は、Ｎフレーム目の最終バンク値からＮフレーム目の駆動倍数を決定する（Ｓ１２）。
【００４１】
以上のように、本実施形態の駆動装置は、パカつきが生じる場合、すなわち駆動倍数が急激に変化する場合、ピークバンク値を補正して、段階的に駆動倍数を変化させる。これにより、表示画面全体にパカつきを発生させない最適な駆動信号を生成できる。
【００４２】
なお、本実施形態においては、フレーム単位で処理を行っているが、これに代えて１フィールド単位で処理を行ってもよい。
【００４３】
なお、本実施形態においては、説明の便宜上、電力予測値、ピーク値をそれぞれ５つの区分に分けているが、１００個の区分に分けてもよい。この場合、第１の閾値を２０、第２の閾値を２、所定値を１としてもよい。ここでは、駆動装置に入力されるＲＧＢ信号は６０フレーム／秒であり、ピークバンク値を０から１００まで１ずつ変化させても２秒弱しかかからないため、この処理時間は視聴者に違和感を持たせない。
【００４４】
なお、本実施形態においては、ピークバンク値補正部７は、電力バンク値ＢＶａとピークバンク値ＢＶｐを用いて、パカつきが発生するか否かを判断しているが（図６のステップＳ３，４，６及び７）、これに代えて電力予測値Ｌａとピーク値Ｌｐを用いて、パカつきが発生するか否かを判断してもよい。具体的には、ステップＳ３及び４において、ピークバンク値補正部７は、（Ｎ−１）フレーム目の電力予測値Ｌａ（Ｎ−１）とＮフレーム目の電力予測値Ｌａ（Ｎ）の差分を求め、その電力予測値差分が第１の閾値以上か否かを判断する。ステップＳ６及び７において、ピークバンク値補正部７は、（Ｎ−１）フレーム目の補正ピーク値Ｌｐａ（Ｎ−１）とＮフレーム目のピーク値Ｌｐ（Ｎ）の差分を求め、そのピーク値差分が第２の閾値以上か否かを判断する。ステップＳ９または１０において、ピークバンク値補正部７はさらに、Ｎフレーム目のピーク値Ｌｐ（Ｎ）も対応するように補正する。
【００４５】
なお、本実施形態においては、ピーク値検出部５がＲ信号Ｖｒ、Ｇ信号Ｖｇ、Ｂ信号Ｖｂの中で最も明るい信号レベルＶｐを求めているが、これに代えてＧ信号Ｖｇのみの中で最も明るい信号レベルを求めてもよい。これにより、ピーク値検出部５の処理が軽減される。
【００４６】
実施形態２
本実施形態では、実施形態１のピークバンク値補正処理を５フレーム毎に行う駆動装置について説明する。
【００４７】
［駆動装置の構成］
本実施形態による駆動装置の構成は、実施形態１と同じであるため説明を省略する。
【００４８】
［駆動装置の動作］
図７は、本発明の実施形態２のプラズマディスプレイパネルを駆動する駆動装置による動作のフローチャートである。このフローチャートは、Ｎフレーム目の駆動倍数を決定する方法を示す。電力予測値検出部３はＮフレーム目の電力予測値Ｌａ（Ｎ）を検出し、ピーク値検出部５はＮフレーム目のピーク値Ｌｐ（Ｎ）を検出する（Ｓ２１）。次に、電力バンク値決定部４はＮフレーム目の電力バンク値ＢＶａ（Ｎ）を決定し、ピークバンク値決定部６はＮフレーム目のピークバンク値ＢＶｐ（Ｎ）を決定する（Ｓ２２）。
【００４９】
ピークバンク値補正部７は、フレーム番号Ｎが５の倍数か否かを判断する（Ｓ２３）。フレーム番号Ｎが５の倍数でない場合は（Ｓ２３でＮｏ）、破線で示すピークバンク値補正処理を行わず、ステップＳ３２に進む。フレーム番号Ｎが５の倍数の場合は（Ｓ２３でＹｅｓ）、ピークバンク値補正部７は、（Ｎ−５）フレーム目の電力バンク値ＢＶａ（Ｎ−５）とＮフレーム目の電力バンク値ＢＶａ（Ｎ）の差分を求め（Ｓ２４）、その電力バンク値差分が第１の閾値以上か否かを判断する（Ｓ２５）。ここでは、第１の閾値は２５である。電力バンク値差分が第１の閾値以上の場合は（Ｓ２５でＹｅｓ）、画像全体が変わっているので、駆動倍数が急激に変化しても違和感がないと判断し、すなわちパカつきが発生しないと判断し、ピークバンク値補正部７はピークバンク値ＢＶｐ（Ｎ）を補正しない。すなわち、ピークバンク値補正部７は、Ｎフレーム目のピークバンク値ＢＶｐ（Ｎ）をＮフレーム目の補正ピークバンク値ＢＶｐａ（Ｎ）に設定する（Ｓ２６）。
【００５０】
一方、電力バンク値差分が第１の閾値未満の場合は（Ｓ２５でＮｏ）、シーンが変わっていないと判断し、ピークバンク値補正部７はさらに、（Ｎ−５）フレーム目の補正ピークバンク値ＢＶｐａ（Ｎ−５）とＮフレーム目のピークバンク値ＢＶｐ（Ｎ）の差分を求め（Ｓ２７）、そのピークバンク値差分が第２の閾値以上か否かを判断する（Ｓ２８）。ここでは、第２の閾値は５０である。ピークバンク値差分が第２の閾値未満の場合は（Ｓ２８でＮｏ）、駆動倍数が急激に変化しないのでパカつきが発生しないと判断し、ピークバンク値補正部７はピークバンク値ＢＶｐ（Ｎ）を補正しない。すなわち、ピークバンク値補正部７は、Ｎフレーム目のピークバンク値ＢＶｐ（Ｎ）をＮフレーム目の補正ピークバンク値ＢＶｐａ（Ｎ）に設定する（Ｓ２６）。
【００５１】
一方、ピークバンク値差分が第２の閾値以上の場合は（Ｓ２８でＹｅｓ）、駆動倍数が急激に変化してパカつきが発生すると判断する。この場合に、ピークバンク値補正部７はピークバンク値ＢＶｐ（Ｎ）を補正する。具体的には、ピークバンク値補正部７は、（Ｎ−５）フレーム目の補正ピークバンク値ＢＶｐａ（Ｎ−５）がＮフレーム目のピークバンク値ＢＶｐ（Ｎ）以上か否かを判断する（Ｓ２９）。（Ｎ−５）フレーム目の補正ピークバンク値ＢＶｐａ（Ｎ−５）がＮフレーム目のピークバンク値ＢＶｐ（Ｎ）以上の場合は（Ｓ２９でＹｅｓ）、（Ｎ−５）フレーム目の補正ピークバンク値ＢＶｐａ（Ｎ−５）に所定値を減算して、減算した値をＮフレーム目の補正ピークバンク値ＢＶｐａ（Ｎ）に設定する（Ｓ３０）。ここでは、所定値は予め決められた固定値であり、例えば２５である。一方、（Ｎ−５）フレーム目の補正ピークバンク値ＢＶｐａ（Ｎ−５）がＮフレーム目のピークバンク値ＢＶｐ（Ｎ）未満の場合は（Ｓ２９でＮｏ）、（Ｎ−５）フレーム目の補正ピークバンク値ＢＶｐａ（Ｎ−５）に所定値を加算して、加算した値をＮフレーム目の補正ピークバンク値ＢＶｐａ（Ｎ）に設定する（Ｓ３１）。
【００５２】
最終バンク値決定部８は、Ｎフレーム目の電力バンク値ＢＶａ（Ｎ）に、５フレーム毎に更新される補正ピークバンク値を加算して、Ｎフレーム目の最終バンク値を求める（Ｓ３２）。駆動倍数決定部９は、Ｎフレーム目の最終バンク値からＮフレーム目の駆動倍数を決定する（Ｓ３３）。
【００５３】
以上のように、本実施形態の駆動装置は、５フレームに１回、ピークバンク値の補正が必要か否かを判断して、必要な場合にピークバンク値を補正する。これにより、駆動装置の演算処理を軽減することができ、且つ実施形態１と同様に表示画面全体にパカつきを発生させない最適な駆動信号も生成できる。
【００５４】
なお、本実施形態においては、ピークバンク値補正部７は、５フレームに１回、ピークバンク値の補正が必要か否かを判断して、必要な場合にピークバンク値を補正しているが、この処理の頻度は所定フレーム数に１回であればよい。例えば、１０フレームに１回であってもよいし、３フレームに１回であってもよい。
【産業上の利用可能性】
【００５５】
本発明に係る駆動装置は、入力画像に応じた最適な駆動信号を生成できる、表示パネルを駆動する駆動装置として有用である。
【図面の簡単な説明】
【００５６】
【図１】本発明の実施形態１によるプラズマディスプレイパネルを駆動する駆動装置の構成を示すブロック図
【図２】電力バンク及び電力バンク値の一例を示す図
【図３】ピークバンク及びピークバンク値の一例を示す図
【図４】最終バンク値の一例を示す図
【図５】最終バンク値−駆動倍数対応表の一例を示す図
【図６】本発明の実施形態１のプラズマディスプレイパネルを駆動する駆動装置による動作のフローチャート
【図７】本発明の実施形態２のプラズマディスプレイパネルを駆動する駆動装置による動作のフローチャート
【図８】電力予測値およびピーク値の一例を示す図
【図９】従来の駆動倍数決定方法を示す図
【符号の説明】
【００５７】
１  駆動装置
２  プラズマディスプレイパネル
３  電力予測値検出部
４  電力バンク値決定部
５  ピーク値検出部
６  ピークバンク値決定部
７  ピークバンク値補正部
８  最終バンク値決定部
９  駆動倍数決定部
１０  マルチ処理部
【図１】
2010049088.tif 000003
【図２】
2010049088.tif 000004
【図３】
2010049088.tif 000005
【図４】
2010049088.tif 000006
【図５】
2010049088.tif 000007
【図６】
2010049088.tif 000008
【図７】
2010049088.tif 000009
【図８】
2010049088.tif 000010
【図９】
2010049088.tif 000011